(57)【要約】【課題】  簡便な方法でカートリッジ内部にコーティング処理を効率よく行うことのできるレンズカートリッジ用治具を提供する。【解決手段】  眼内レンズを挿入するための挿入部と，挿入部の基端に設けられ眼内レンズを保持する保持部とを有するレンズカートリッジを固定保持する基台からなるレンズカートリッジ用治具であって、基台は、所定の厚みを有する板状の基台であり、挿入部を挿通させるとともに保持部と嵌合する内形状を有した貫通孔が前記厚み方向に対して形成されることでレンズカートリッジを固定保持するための固定保持手段を有し、固定保持手段にレンズカートリッジが固定保持された状態で挿入部が先端から所定の長さだけ突き出る厚みを有すると共に，前記固定保持手段にレンズカートリッジを固定保持した状態で挿入部を略水平の姿勢とするための底面を有する。【選択図】      図７
2009268600.tif 000002
【特許請求の範囲】
【請求項１】
眼内レンズを挿入するための挿入部と，該挿入部の基端に設けられ前記眼内レンズを保持する保持部とを有するレンズカートリッジを固定保持する基台からなるレンズカートリッジ用治具であって、
前記基台は、
所定の厚みを有する板状の基台であり、
前記挿入部を挿通させるとともに前記保持部と嵌合する内形状を有した貫通孔が前記厚み方向に対して形成されることで前記レンズカートリッジを固定保持するための固定保持手段を有し、
該固定保持手段に前記レンズカートリッジが固定保持された状態で前記挿入部が先端から所定の長さだけ突き出る厚みを有すると共に，前記固定保持手段に前記レンズカートリッジを固定保持した状態で前記挿入部を略水平の姿勢とするための底面を有する
ことを特徴とするレンズカートリッジ用治具。
【請求項２】
請求項１のレンズカートリッジ用治具において、
前記レンズカートリッジの保持部は，前記眼内レンズを折り曲げるために下縁を連結するヒンジ部を有した開閉可能な２つの半割部材からなる保持部であり、
前記固定保持手段に形成される前記貫通孔は前記半割部材を閉じた合わせた状態で前記保持部を嵌合するための内形状を有することを特徴とするレンズカートリッジ用治具。
【請求項３】
請求項１又は２のレンズカートリッジ用治具は、前記貫通孔に対して前記レンズカートリッジを送出方向への抜けを止めるための係止部を有することを特徴とするレンズカートリッジ用治具。
【請求項４】
請求項１〜３のいずれかのレンズカートリッジ用治具において、前記レンズカートリッジの挿入部の先端には該挿入部の軸方向に対して傾斜したベベルが形成されており、
前記固定保持手段は前記ベベルが上向きの状態で前記レンズカートリッジを固定保持させるために，前記貫通孔の軸に対して所定の回転角度にて前記保持部を嵌合させるための位置決め手段を持つことを特徴とするレンズカートリッジ用治具。
【発明の詳細な説明】
【技術分野】
【０００１】
本発明は、眼内レンズを眼内に挿入する際に用いるインジェクターに装着されるレンズカートリッジに対し、処理を施すためにレンズカートリッジを固定保持させるためのレンズカートリッジ用治具に関する。
【背景技術】
【０００２】
従来、インジェクターと呼ばれる眼内レンズ挿入器具を用いて、患者眼に眼内レンズの挿入する手法が知られている。このようなインジェクターにおいては、眼内レンズを保持（載置）し、折り曲げた状態の眼内レンズを押出すためのノズル（挿入筒）を持つレンズカートリッジを器具本体に装着し、プランジャー（押出棒）を用いて眼内レンズをカートリッジから送出させる機構を備えたものが多い。（例えば、特許文献１参照）。
【０００３】
また、このようなインジェクターでは、カートリッジ内部に滑性を向上させるためのコーティング剤を塗布し、眼内レンズの押し出しを好適に行うための技術が知られている（例えば、特許文献２参照）。
【特許文献１】特開平１１−１９１１５号公報
【特許文献２】特表２００３−５０６１４４号公報
【発明の開示】
【発明が解決しようとする課題】
【０００４】
しかしなから、特許文献２に開示されるようにレンズカートリッジに対して、その内部をできるだけ均一にコーティング処理しようとすると、その処理作業には手間がかかる。
【０００５】
本発明は、上記従来技術の問題点に鑑み、簡便な方法でカートリッジ内部にコーティング処理を効率よく行うことのできるレンズカートリッジ用治具を提供することを技術課題とする。
【課題を解決するための手段】
【０００６】
上記課題を解決するために、本発明は以下のような構成を備えることを特徴とする。
（１）  眼内レンズを挿入するための挿入部と，該挿入部の基端に設けられ前記眼内レンズを保持する保持部とを有するレンズカートリッジを固定保持する基台からなるレンズカートリッジ用治具であって、前記基台は、所定の厚みを有する板状の基台であり、前記挿入部を挿通させるとともに前記保持部と嵌合する内形状を有した貫通孔が前記厚み方向に対して形成されることで前記レンズカートリッジを固定保持するための固定保持手段を有し、該固定保持手段に前記レンズカートリッジが固定保持された状態で前記挿入部が先端から所定の長さだけ突き出る厚みを有すると共に，前記固定保持手段に前記レンズカートリッジを固定保持した状態で前記挿入部を略水平の姿勢とするための底面を有することを特徴とする。
（２）  （１）のレンズカートリッジ用治具において、前記レンズカートリッジの保持部は，前記眼内レンズを折り曲げるために下縁を連結するヒンジ部を有した開閉可能な２つの半割部材からなる保持部であり、前記固定保持手段に形成される前記貫通孔は前記半割部材を閉じた合わせた状態で前記保持部を嵌合するための内形状を有することを特徴とする。
（３）  （１）又は（２）のレンズカートリッジ用治具は、前記貫通孔に対して前記レンズカートリッジを送出方向への抜けを止めるための係止部を有することを特徴とする。
（４）  （１）〜（３）のいずれかのレンズカートリッジ用治具において、前記レンズカートリッジの挿入部の先端には該挿入部の軸方向に対して傾斜したベベルが形成されており、前記固定保持手段は前記ベベルが上向きの状態で前記レンズカートリッジを固定保持させるために，前記貫通孔の軸に対して所定の回転角度にて前記保持部を嵌合させるための位置決め手段を持つことを特徴とする。
【発明の効果】
【０００７】
本発明によれば、簡便な方法でカートリッジ内部にコーティング処理を効率よく行うことができる。
【発明を実施するための最良の形態】
【０００８】
以下に本発明の実施の形態を図面に示しながら説明する。始めに、本実施形態で用いるレンズカートリッジとハンドピースにて構成される眼内レンズ挿入器具１と、眼内レンズ１００を説明し、次に、レンズカートリッジ用治具について説明する。図１は本実施形態で使用する眼内レンズ挿入器具１の外観を示した概略外観図である。図１（ａ）は眼内レンズ挿入器具１を上方から、図１（ｂ）は側方から見た図である。
【０００９】
眼内レンズ挿入器具１は、大別してレンズカートリッジ（レンズ保持部）１０とハンドピース４０より構成される。レンズカートリッジ１０は、眼球に挿入する側から順に、眼球に形成される切開創に挿入される挿入筒（挿入部）１１を備え、眼内レンズ１００（図２参照）を設置し、保持するための載置部（保持部）を備える。ハンドピース４０は、先端にカートリッジ１０を装着する筒部２０と、カートリッジ１０及び筒部２０の内部を挿通し、筒部２０に装着されたカートリッジ１０の先端から眼内レンズ１００を外部に押し出す手段となる押出機構部（プランジャー）３０とを有する。
【００１０】
図２は眼内レンズ１００の構成を示した図である。眼内レンズ１００は所定の屈折力を有する光学部１０１と光学部１０１を眼内で支持するループ状の一対の支持部１０２からなる。本実施形態で用いる眼内レンズ１００の光学部１０１は、ＨＥＭＡ（ヒドロキシエチルメタクリレート）等の単体や、アクリル酸エステルとメタクリル酸エステルの複合材料等の、従来、折り曲げ可能な軟性の眼内レンズに用いられている材料から形成されている。また、支持部１０２もＰＭＭＡ（ポリメチルメタクリレート）等の従来、眼内レンズの支持部として用いられている材料から形成されている。
【００１１】
図３、図４はカートリッジ１０の構成を示した図である。図示するように、カートリッジ１０は先端に向かうにしたがって径が徐々に小さく（細く）なるテーパ形状を有する挿入筒（挿入部）１１と、眼内レンズ１００を設置する載置部１２とが一体的に形成されている。なお、カートリッジ１０は、その全体が合成樹脂にて形成されており、一度の使用で廃棄する使い捨てタイプとなっている。このため、カートリッジ１０は、樹脂等による成型にて作製されることが好ましい。
【００１２】
挿入筒１１は中空の筒形状となっており、折り曲げられた眼内レンズ１００がこの中空部分を通して外部に送り出されるようになっている。また、挿入筒１１は内部形状も先端に向かってテーパ形状とされるため、挿入筒１１を通る眼内レンズ１００はより小さい径とされる。また、載置部１２は、２つの半割部材１２ａ，１２ｂから形成されており、図３（ａ）に示すように半割部材１２ａ及び１２ｂの下縁同士がヒンジ部１３によって連結され、開閉可能となっている。眼内レンズ１００を載せる載置台１４ａ及び１４ｂは、半割部材１２ａ，１２ｂに各々設けられている。眼内レンズ１００を載せる載置面の形状（壁面形状）は、眼内レンズ１００を折り曲げる方向に沿った曲面を有している。
【００１３】
また、半割部材１２ａ及び１２ｂを閉じ合わせると、載置台１４ａ、１４ｂの壁面形状（載置面形状）が変形し、挿入筒１１の基端側開口形状（半円形状）と略一致するようになっている（図４参照）。また、半割部材１２ａ，１２ｂが閉じ合ったときの載置部１２の外形は、後述する筒部２０の内壁形状と略一致するようになっている。
【００１４】
カバー１５ａ及び１５ｂは半割部材１２ａ，１２ｂの各々の上部に設けられており、半割部材１２ａと半割部材１２ｂとが閉じ合ったときに、載置台１４ａ及び載置台１４ｂの上方を覆うように形成されている。また、カバー１５ｂの端部には、載置台１４ａ、１４ｂの上方から載置台１４ａ、１４ｂに向かって延びるように形成された凸部１６が設けてある。なお、凸部１６はカートリッジ１０にセットされた眼内レンズ１００を折り曲げる際に、その折り曲げを常に載置台１４ａ、１４ｂの内壁面（載置面）に沿って行うように規制する役目を果たしている。また、使用者がカートリッジ１０を持つ際に把持する平板状の把持部１８は半割部材１２ａの側面に設けられる。
【００１５】
挿入筒１１の先端には、挿入筒１１（後述する押出棒３１の進退移動方向）の軸方向に対して所定の角度（ここでは、４５度程度）傾斜した切断面によって切り欠かかれたベベル（切り欠き）１１ａが形成されている。ベベル１１ａでは、切り欠かれた切断面が開口とされ、その開口の向きは挿入筒１１の軸を回転中心とし所定の回転角度となるように加工される。本実施形態では、ベベル１１ａは、挿入筒１１の軸を中心に４５度の角度を持って形成されている。
【００１６】
ベベル１１ａは、患者眼に形成される切開創に挿入筒１１を挿し込み易くする役割を持つと共に、挿入筒１１を通って先端より送出される折り曲げられた眼内レンズ１００の開く方向をガイドする役割を持つ。具体的には、ベベル１１ａに小さく折り曲げられた眼内レンズ１００が到ると、挿入筒１１先端の切り欠かれた部分では、光学部１０１が挿入筒１１の内壁と接触しなくなる。このため、折り曲げられた光学部１０１がベベル１１ａ部分で開き始める。このとき、ベベル１１ａの向きにより、光学部１０１の開く方向がガイドされることとなる。
【００１７】
このような構成を備えるカートリッジ１０は、図４（ａ）に示すように、載置部１２が開いた状態（２つの半割部材が離れている状態）のときに、眼内レンズ１００を載置台１４ａ及び載置台１４ｂ上にセットし、その後、カートリッジ１０を筒部２０に装着することによって、図４（ｂ）に示すように判割部材１２ａと半割部材１２ｂとが閉じ合うことにより、載置された眼内レンズ１００に応力を掛け、折り曲げる（折り畳む）ことができる。また、カートリッジ１０の内壁は、眼内レンズの移動（滑り）を行い易くするためのコーティング処理がされる。本実施形態では、カートリッジ１０の内壁にコーティング処理を効率よく行うため、カートリッジ１０を所定の治具に固定保持させた状態でコーティング処理を行う。このようなコーティング処理に関しては、詳しくは後述する。
【００１８】
次に、カートリッジ１０とハンドピース４０を組合せて構成した眼内レンズ挿入器具１における内部構成ついて説明する。図５は、眼内レンズ挿入器具１の軸方向での模式的断面図である。図では、装着部２１にカートリッジ１０が装着されることにより眼内レンズ１００が折り曲げられた状態とされる。なお、支持部１０２は図示を略した。
【００１９】
ハンドピース４０は、筒部２０の先端にカートリッジ１０を着脱するための装着部２１が設けられている。図示は略すが、装着部２１は筒部２０の先端を略半割した形状であり、カートリッジ１０を装着部２１に装着する際に開かれている半割部材１２ａ，１２ｂを閉じ合わせる方向に規制し、その幅を制限するガイドの役目を果たすとともに、装着されたカートリッジ１０を係止し、容易に筒部２０から外れないようにする。
【００２０】
また、筒部２０の内部は中空状となっており、ここに押出機構部３０が筒部２０の軸方向に進退可能に挿通されている。押出機構部３０は押出棒３１、押出棒３１の後端に形成され術者による眼内レンズ１００の押出動作の際に押圧される押圧部３２から構成されている。なお、ハンドピース４０は、カートリッジ１０と同様に一度の使用で廃棄する使い捨てタイプとなっている。このため、樹脂等による成型にて各々が、一体的に作製される。
【００２１】
押出棒３１は、押圧部３２が前方に移動されることによって、筒部２０内を軸方向に前進する。押出棒３１が前進すると、部２０の先端に装着されたカートリッジ１０（挿入筒１１）から眼内レンズ１００が押出される（送出される）。
【００２２】
以上のような構成を備える眼内レンズ挿入器具１において、その動作を簡単に説明する。使用者は、眼内レンズ１００をカートリッジ１０の基端側から中に差し入れ、載置台１４ａ，１４ｂ上に置く。カートリッジ１０に応力が何も掛かっていない状態のときは、図４（ａ）に示すように半割部材１２ａ，１２ｂは開かれた状態にあり、載置台１４ａ，１４ｂ上に置かれた眼内レンズ１００も折り曲げられていない状態（応力が掛けられていない状態）で保持される。装着部２１にカートリッジ１０押し付けるようにして固定すると、割部材１２ａ、１２ｂが閉じ合わせるようにガイドされて、図４（ｂ）に示すように、半割部材１２ａ、１２ｂが閉じ合った状態で装着部２１に装着される。このとき、前述のように、載置台１４ａ、１４ｂの壁面（載置面）に沿って眼内レンズ１００が折り曲げられることとなる。
【００２３】
術者は、装着部２１にカートリッジ１０を装着後、水晶体が取り除くために設けられた切開創を介して患者眼内に挿入筒１１を差し入れる。この状態で術者が押圧部３２を押して、押出棒３１を前方に移動させていく。押出棒３１に押された眼内レンズ１００が挿入筒１１内に入り、挿入筒１１の開口径が先端に向かって狭くなってくると、眼内レンズ１００は挿入筒１１内部の壁面に沿って折り曲げられていく（丸め込まれていく）。そして、挿入筒１１の先端から眼内レンズ１００が小さい径とされた状態で押し出される。このとき、ベベル１１ａが向く方向から眼内レンズ１００が開くこととなる。
【００２４】
次に、カートリッジ１０の内壁に滑剤をコーティングするために用いられるカートリッジ１０を固定保持するための治具について説明する。図６は、カートリッジ１０用治具７０の説明のための模式図であり、カートリッジ１０の後端側から見た側面図である。図では、３つの固定保持部７５のうち紙面左側２つにカートリッジ１０を固定保持した状態を示した。図７は、カートリッジ１０の固定保持について説明をする模式図であり、図７（ａ）は、カートリッジ１０を固定保持した治具７０の側面透過図、図７（ｂ）は図６の一部拡大図である。なお、図７（ｂ）では、後端からみたカートリッジ１０の稜線を点線で示した。
【００２５】
治具７０は、所定の厚みを持ちカートリッジ１０を固定保持する板状の基台７１をベースとし、ここに挿入筒１１を挿通させるとともに載置部１２と嵌合する内形状を有し、基台７１の厚み方向にあけられた貫通孔（又は挿通部）７２と、板状の把持部１８を収める内形状を有するスリット７３と、カートリッジ１０を送出方向（挿通方向）への抜けを止めるための係止部７４とを有する。係止部７４は、貫通孔７２及びスリット７３の先端側（カートリッジ１０の送出方向側を指す）に設けられ、貫通孔７２に嵌合された載置部１２とスリット７３に収められた把持部１８の挿通を止めるために、載置部１２の先端側と当接する部材と、把持部１８の先端側と当接する部材とで構成される。
【００２６】
これらの貫通孔７２、スリット７３及び係止部７４により、カートリッジ１０の固定保持部（固定保持手段）７５が構成される。固定保持部７５は、基台７１に複数（ここでは、３つ）設けられる（図６参照）。なお、基台７１は、貫通孔７２、スリット７３、係止部７４に当接するカートリッジ１０に負担を掛けないような素材、例えば、カートリッジ１０を傷つけ難い硬さの樹脂等で形成される。
【００２７】
基台７１は、直方体形状（ブロック状）とされ、基台７１の厚み（カートリッジ１０の送出方向の長さ）は、カートリッジ１０の先端から後端までの長さよりも短くされる。また、基台７１の厚みは、基台７１の底面（底部）を机等の水平な面に置いた際に、カートリッジ１０が固定された治具７０が倒れないような厚みとされる。ここでは、カートリッジ１０の先端から後端までの長さの半分程度とされる。これにより、挿入筒１１が基台７１の先端（カートリッジ１０の送出方向側の一端を指す）から所定の長さだけ治具７０から突出する（突き出る）こととなる。
【００２８】
貫通孔７２は、挿入筒１１を挿通するように挿入筒１１の外径よりも若干大きい形状とされ、貫通孔７２にカートリッジ１０（載置部１２）が嵌合される形状とされる。これにより、治具７０にカートリッジ１０が固定保持される。また、本実施形態では、貫通孔７２は、半割部材１２ａ、１２ｂとが閉じ合わさせるような内形状を持つ。具体的には、閉じあわされた半割部材１２ａ、１２ｂの外壁の形状に沿うような内形状を持つ貫通孔７２とされる。ここでは、貫通孔７２は、載置部１２の稜線に沿った形状を持ち、閉じあった半割部材１２ａ、１２ｂの外壁と貫通孔７２の内壁とが一部接触する形状とされる。
【００２９】
スリット７３は、貫通孔７２に嵌合された載置部１２から側方向に延びる把持部１８を収める内形状を有し、貫通孔７２にカートリッジ１０が嵌合された際に、ベベル１１ａを上向きとするために、貫通孔７２の軸に対して所定の角度を持つように形成される。ここでは、スリット７３は、貫通孔７２の軸を略中心として放射方向に延びるように基台７１に形成される。具体的には、スリット７３は、貫通孔７２の軸から貫通孔７２の外周に向かう直線の延長線に沿って形成され、板状の把持部１８の厚み（肉厚）より若干大きい幅を持つと共に把持部１８の長手方向（載置部１２からみて側方向）の長さよりも若干長い幅を持つ。また、スリット７３は、治具７０を後端からみた場合に、基台７１の底面に対して貫通孔７２の軸を回転中心として時計回りに４５度回転して配置される。このとき、スリット７３は、カートリッジ１０を所定の角度回転させるための位置決め手段となる。
【００３０】
係止部７３は、基台７１の先端側（送出方向側）の設けられ、挿入筒１１を挿通させるが、貫通孔７２に嵌合された載置部１２を挿通させない形状とされ、ここでは、貫通孔７２の径より小さく（載置部１２の径より小さく）、挿入筒１１の径より若干大きい程度の径の孔を有した環状部材７４ａと、スリット７３に収められた把持部１８が送出方向に挿通しないように、スリット７３の先端側を塞ぐ（把持部１８の移動を規制する）ように形成された壁部材７４ｂとで構成される。係止部７４は、基台７１の厚み方向に形成され、当接する載置部１２、把持部１８の送出方向への移動を規制する程度の強度を持つような厚みを持って形成される。このため、貫通孔７２に嵌合した載置部１２の先端側及びスリット７３に収められた把持部１８の先端側が、それぞれ係止部７４（環状部材７４ａ、壁部材７４ｂ）に当接することとなり、送出方向への移動を規制される。これにより、カートリッジ１０が送出方向に抜けることを抑制される。言い換えると、係止部７３は、カートリッジ１０を送出方向に抜けさせない抜け止めの役割を持つこととなる。なお、係止部７３としては、環状部材７４ａ、壁部材７４ｂのいずれかが基台７１に形成される構成であればよい。
【００３１】
このような貫通孔７２とスリット７３と係止部７４により形成された固定保持部７５は、貫通孔７２に嵌めこまれたカートリッジ１０（挿入筒１１）を略水平の姿勢とするように、基台７１に形成される。固定保持部７５（特に、貫通孔７２）は、治具７０を水平な面に置いたときに、挿入部１１（の軸）を略水平な姿勢とするために、挿入筒１１の軸が略水平となるような形状とされる。具体的には、閉じあわせられたカバー１５ａ、１５ｂの面が持つ軸（挿入筒１１の軸と同軸）と基台７１の底面が平行となるように固定保持部７５が形成されることにより、治具７０に固定されたカートリッジ１０が水平な面に置かれると挿入筒１１（の軸）が略水平な姿勢とされる（図７（ａ）参照）。
【００３２】
次に、治具７０を用いて、カートリッジ１０の内壁に滑剤をコーティングする方法を説明する。ここでは、液体状の滑剤をカートリッジ１０に充填した後静置し、カートリッジ１０内に形成された皮膜（薄膜）状の滑剤を乾燥させることで、コーティングを行う。
【００３３】
はじめに、複数（ここでは、３つ）のカートリッジ１０を治具７０に固定保持させる。このとき、固定保持部７５により、カートリッジ１０のベベル１１ａが上向きとなるように位置決めされ、治具７０から抜けないように固定保持されることとなる。次に、カートリッジ１０内部（載置部１２及び挿入筒１１の内部）に液体状の滑剤をスポイト等で注入（充填）する。この液体状の滑剤は、親水性を有し、水と同程度の粘性か又は水より粘性が高いものとされる。この滑剤が内部（内壁）に定着（コーティング）されたカートリッジ１０に、粘弾性物質又は灌流液等が供給されると、滑剤の一部が溶解しカートリッジ１０内の摩擦が減少する（滑性が向上する）。
このとき、治具７０が水平とされることにより挿入筒１１は略水平とされる。、この状態において、挿入筒１１の先端まで液体状の滑剤が行き渡ると共に、滑剤の表面張力や、その粘度により、ベベル１１ａやカートリッジ後端の開口から滑剤はこぼれにくい。挿入筒１１が治具７０から突出しているため、挿入筒１１、ベベル１１ａが視認し易く、液体状の滑剤の注入状況を確認し易い。なお、半割部材１２ａ、１２ｂは閉じあわされているため、カートリッジ１０に注入された液体状の滑剤は、載置部１２内に行き渡り、カートリッジ１０内に充填される（充たされる）こととなる。これは、挿入筒１１の径及び載置部１２の後端の開口部が小さいためである。ここでは、挿入筒１１の先端の径は３ｍｍ程度、最智部１２後端の開口は６ｍｍ程度の開口径とされる。このようにして、カートリッジ１０内に液体状の滑剤を充填した状態で、コーティングの処理を行うことができる。
【００３４】
次に、液体状の滑剤が充填されたカートリッジ１０内に滑剤の皮膜を形成する処理を行う。ここでは、液体状の滑剤にて、カートリッジ１０内に皮膜を作る程度静置する。具体的には、室温で６時間程度静置する。これにより、カートリッジ１０の内壁に液体状の滑剤の皮膜（内壁に接する一部の滑剤）が形成される。このとき、カートリッジ１０の内壁に接している液体状の滑剤は、皮膜となるが、大部分の滑剤は液体の状態とされ、皮膜を形成しなかった液体状の滑剤は、カートリッジ１０の内部（カートリッジ１０の中央部等）に留まる。
【００３５】
そこで、液体状の滑剤を取り除くために、挿入筒１１を下に向け、ベベル１１ａを吸い取り用の部材（例えば、紙、スポンジ等）に接触させる。カートリッジ１０内の液体状の滑剤が自重で下方に落ちると共に紙に吸い取られ、カートリッジ１０内の余分な液体状の滑剤が取り除かれる。このとき、治具７０を操作することで、容易に複数のカートリッジ１０の向きを変えることができる。また、治具７０の厚みがカートリッジ１０の後端から先端までの長さより短くされることにより、挿入筒１１の先端（ベベル１１ａ）が治具７０から突出することとなり、前述の余分な液体状の滑剤の除去がし易くなる。また、複数のベベル１１ａの向きが揃っているため、液体状の滑剤を同時に紙等に接触させやすくなり、作業がし易くなる。
【００３６】
次に、カートリッジ１０の内部で皮膜となった滑剤を内壁に定着させるために、カートリッジ１０を乾燥させる。例えば、室温で２４時間程度置いて、カートリッジ１０を乾燥させる。これにより、カートリッジ１０の内壁に滑剤が定着し、滑剤のコーティングがなされる（ここでは、３つのカートリッジ１０にコーティングが施される）。このようにして、治具７０にカートリッジ１０を固定保持し、作業を行うことで、簡単な方法でカートリッジ１０内部にコーティング処理を効率よく行うことができる。
【００３７】
なお、以上説明した本実施形態では、ブロック状の基台に貫通孔、係止部を形成する構成としたが、これに限るものではない。カートリッジ（挿入筒）を略水平な姿勢で固定保持できる構成であればよい。例えば、係止部となる孔を開けた平板に、載置部を閉じた状態で保持するために柱状の部材を複数配置して貫通孔を形成する構成としてもよい。この場合においても、挿入筒は平板から突出することとなる。
【００３８】
なお、以上説明した本実施形態では、治具は、２つの半割部材が下縁のヒンジ部で開閉可能に連結されたカートリッジを固定する構成としたが、これに限るものではない。治具にてカートリッジを固定保持できる構成であればよく、カートリッジを嵌合させる貫通孔を有し、挿入筒を突出させると共に略水平に保つような構成の治具であればよい。
【００３９】
なお、以上説明した本実施形態では、カートリッジ用治具は、カートリッジ内に滑剤をコーティングする処理に用いるものとしたが、これに限るものではない。カートリッジの洗浄等に用いてもよい。複数のカートリッジを一つの治具で固定できる構成とすれば、洗浄作業等の効率が向上される。例えば、洗浄液にカートリッジを浸す洗浄方法に場合、複数のカートリッジの向きが揃っている方が好ましい。なお、貫通孔、係止部にスリット等を設けて、洗浄液等がカートリッジの外壁に到り易い構成としてもよい。
【００４０】
なお、以上説明した本実施形態では、治具（基台）に固定保持部を３つ設ける構成としたが、これに限るものではない。カートリッジを固定保持できる治具であれば、固定保持部は単数であっても、複数であってもよい。
【図面の簡単な説明】
【００４１】
【図１】本実施形態における眼内レンズ挿入器具ｑの外観を示した図である。
【図２】眼内レンズ１００の構成を示した図である。
【図３】本実施形態におけるカートリッジ１０の外観を示した図である。
【図４】カートリッジ１０の変形による眼内レンズの折り曲げ方法を示した図である。
【図５】眼内レンズ挿入器具１の側面断面を示した図である。
【図６】カートリッジ用治具７０の模式的側面図である。
【図７】カートリッジ用治具７０の構成を説明する図である。
【符号の説明】
【００４２】
１  眼内レンズ挿入器具
１０  カートリッジ
１１  挿入筒
２０  筒部
３０  押出機構部
３１  押出棒
４０  ハンドピース
７０  カートリッジ用治具
１００  眼内レンズ
【図１】
2009268600.tif 000003
【図２】
2009268600.tif 000004
【図３】
2009268600.tif 000005
【図４】
2009268600.tif 000006
【図５】
2009268600.tif 000007
【図６】
2009268600.tif 000008
【図７】
2009268600.tif 000009